【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
ペアリングデバイスにおいて実行される方法であって、該方法は、
該ペアリングデバイスが、通信デバイスからアドバタイジングパケットを受信することと、
該ペアリングデバイスが、該アドバタイジングパケットのペイロード内に共有されたキーが含まれているか否かをチェックすることと、
該アドバタイジングパケットの該ペイロード内に該共有されたキーが含まれる場合には、該ペアリングデバイスが、該アドバタイジングパケットの該ペイロード内に含まれる該共有されたキーが、該ペアリングデバイスに格納されている共有されたキーと一致するか否かをチェックすることと、
該アドバタイジングパケットの該ペイロード内に含まれる該共有されたキーが、該ペアリングデバイスに格納されている該共有されたキーと一致する場合には、該ペアリングデバイスが、該アドバタイジングパケットに応答することによって該ペアリングデバイスと該通信デバイスとの間の通信を確立することと、
該アドバタイジングパケットの該ペイロード内に該共有されたキーが含まれない場合、または、該アドバタイジングパケットの該ペイロード内に含まれる該共有されたキーが、該ペアリングデバイスに格納されている該共有されたキーと一致しない場合には、該ペアリングデバイスが、該アドバタイジングパケットに応答しないことと
を含む、方法。
【請求項２】
前記アドバタイジングパケットは、前記ペアリングデバイスのアドレスを含まない、請求項１に記載の方法。
【請求項３】
前記共有されたキーは、ペアリングデバイスを製造または出荷するときに割り当てられるキー、または、ペアリングデバイスの出荷後に割り当てられるキーである、請求項１または請求項２に記載の方法。
【請求項４】
前記共有されたキーは、１つのペアリングデバイスと前記通信デバイスとの間で共有されたキー、または、複数のペアリングデバイスと該通信デバイスとの間で共有されたキーである、請求項１〜３のいずれかに記載の方法。
【請求項５】
前記共有されたキーは、前記ペアリングデバイスと前記通信デバイスとの間で同じビット／バイト形式である、請求項１に記載の方法。
【請求項６】
前記アドバタイジングパケットは、ＢＬＵＥＴＯＯＴＨ（登録商標）技術を介して送信される、請求項１に記載の方法。
【請求項７】
前記ペアリングデバイスが、複数のアドバタイジングパケットを受信することと、
該ペアリングデバイスが、該複数のアドバタイジングパケットのそれぞれが前記共有されたキーのそれぞれの部分を含むか否かをチェックすることと、
該複数のアドバタイジングパケットのそれぞれが該共有されたキーのそれぞれの部分を含む場合には、該ペアリングデバイスが、該複数のアドバタイジングパケットに応答することと、
該複数のアドバタイジングパケットのうちの少なくとも１つが該共有されたキーのそれぞれの部分を含まない場合には、該ペアリングデバイスが、該複数のアドバタイジングパケットに応答しないことと
をさらに含む、請求項１に記載の方法。
【請求項８】
前記ペアリングデバイスが、前記共有されたキーに基づいてユーザをオーソライズすることをさらに含む、請求項１に記載の方法。
【請求項９】
前記応答することは、データ属性、名前、シリアル番号、ＭＡＣアドレスのうちの１つ以上を前記通信デバイスまたはサーバに送信することをさらに含む、請求項１に記載の方法。
【請求項１０】
前記アドバタイジングパケットは、暗号化されており、該アドバタイジングパケットは、前記共有されたキーと付加的データとを含み、該付加的データは、該共有されたキーおよび該付加的データが暗号化される前に該共有されたキーに付加される、請求項１に記載の方法。
【請求項１１】
前記付加的データは、前記ペアリングデバイスとの各ペアリングに対して異なる、請求項１０に記載の方法。
【請求項１２】
システムであって、
該システムは、ペアリングデバイスと、該ペアリングデバイスと通信可能な通信デバイスとを備え、
該ペアリングデバイスは、
少なくとも１つのデータプロセッサと、
命令を格納するメモリと
を備え、
該命令は、該少なくとも１つのデータプロセッサによって実行されると、
該通信デバイスからアドバタイジングパケットを受信することと、
該アドバタイジングパケットのペイロード内に共有されたキーが含まれているか否かをチェックすることと、
該アドバタイジングパケットの該ペイロード内に該共有されたキーが含まれる場合には、該ペアリングデバイスが、該アドバタイジングパケットの該ペイロード内に含まれる該共有されたキーが、該ペアリングデバイスに格納されている共有されたキーと一致するか否かをチェックすることと、
該アドバタイジングパケットの該ペイロード内に含まれる該共有されたキーが、該ペアリングデバイスに格納されている該共有されたキーと一致する場合には、該アドバタイジングパケットに応答することによって該ペアリングデバイスと該通信デバイスとの間の通信を確立することと、
該アドバタイジングパケットの該ペイロード内に該共有されたキーが含まれない場合、または、該アドバタイジングパケットの該ペイロード内に含まれる該共有されたキーが、該ペアリングデバイスに格納されている該共有されたキーと一致しない場合には、該アドバタイジングパケットに応答しないことと
を含む動作を該ペアリングデバイスに行わせる、システム。
【請求項１３】
前記アドバタイジングパケットは、前記ペアリングデバイスのアドレスを含まない、請求項１２に記載のシステム。
【請求項１４】
前記共有されたキーは、ペアリングデバイスを製造または出荷するときに割り当てられるキー、または、ペアリングデバイスの出荷後に割り当てられるキーである、請求項１２または請求項１３に記載のシステム。
【請求項１５】
前記共有されたキーは、１つのペアリングデバイスに割り当てられているキー、または、複数のペアリングデバイスに割り当てられているキーである、請求項１２〜１４のいずれかに記載のシステム。
【請求項１６】
前記共有されたキーは、前記ペアリングデバイスと前記通信デバイスとの間で同じビット／バイト形式である、請求項１２に記載のシステム。
【請求項１７】
前記アドバタイジングパケットは、ＢＬＵＥＴＯＯＴＨ（登録商標）技術を介して送信される、請求項１２に記載のシステム。
【請求項１８】
前記動作は、
複数のアドバタイジングパケットを受信することと、
該複数のアドバタイジングパケットのそれぞれが前記共有されたキーのそれぞれの部分を含むか否かをチェックすることと、
該複数のアドバタイジングパケットのそれぞれが該共有されたキーのそれぞれの部分を含む場合には、該複数のアドバタイジングパケットに応答することと、
該複数のアドバタイジングパケットのうちの少なくとも１つが該共有されたキーのそれぞれの部分を含まない場合には、該複数のアドバタイジングパケットに応答しないことと
をさらに含む、請求項１２に記載のシステム。
【請求項１９】
前記動作は、
前記共有されたキーに基づいてユーザをオーソライズすること
をさらに含む、請求項１２に記載のシステム。
【請求項２０】
前記システムは、前記ペアリングデバイスと通信可能なサーバをさらに備え、
前記応答することは、データ属性、名前、シリアル番号、ＭＡＣアドレスのうちの１つ以上を前記通信デバイスまたは該サーバに送信することをさらに含む、請求項１２に記載のシステム。
【請求項２１】
前記アドバタイジングパケットは、暗号化されており、該アドバタイジングパケットは、前記共有されたキーと付加的データとを含み、該付加的データは、該共有されたキーおよび該付加された付加的データが暗号化される前に該共有されたキーに付加される、請求項１２に記載のシステム。
【請求項２２】
前記付加的データは、前記ペアリングデバイスとの各ペアリングに対して異なる、請求項２１に記載のシステム。
【請求項２３】
命令を含むコンピュータプログラムであって、該命令は、ペアリングデバイスの少なくとも１つのデータプロセッサによって実行されると、
通信デバイスからアドバタイジングパケットを受信することと、
該アドバタイジングパケットのペイロード内に共有されたキーが含まれているか否かをチェックすることと、
該アドバタイジングパケットの該ペイロード内に該共有されたキーが含まれる場合には、該アドバタイジングパケットの該ペイロード内に含まれる該共有されたキーが、該ペアリングデバイスに格納されている共有されたキーと一致するか否かをチェックすることと、
該アドバタイジングパケットの該ペイロード内に含まれる該共有されたキーが、該ペアリングデバイスに格納されている該共有されたキーと一致する場合には、該アドバタイジングパケットに応答することによって該ペアリングデバイスと該通信デバイスとの間の通信を確立することと、
該アドバタイジングパケットの該ペイロード内に該共有されたキーが含まれない場合、または、該アドバタイジングパケットの該ペイロード内に含まれる該共有されたキーが、該ペアリングデバイスに格納されている該共有されたキーと一致しない場合には、該アドバタイジングパケットに応答しないことと
を含む動作を該ペアリングデバイスに行わせる、コンピュータプログラム。
【請求項２４】
前記アドバタイジングパケットは、前記ペアリングデバイスのアドレスを含まない、請求項２３に記載のコンピュータプログラム。
【請求項２５】
前記共有されたキーは、ペアリングデバイスを製造または出荷するときに割り当てられるキー、または、ペアリングデバイスの出荷後に割り当てられるキーである、請求項２３または請求項２４に記載のコンピュータプログラム。
【請求項２６】
前記共有されたキーは、１つのペアリングデバイスに割り当てられているキー、または、複数のペアリングデバイスに割り当てられているキーである、請求項２３〜２５のいずれかに記載のコンピュータプログラム。
【請求項２７】
前記受信することは、前記通信デバイスと接続する前に、前記共有されたキーを使用して前記アドバタイジングパケットを受信することを含み、
前記応答することは、
該ペアリングデバイスが、該通信デバイスと接続することと、
該ペアリングデバイスと該通信デバイスとの間のデータ送信を開始することと
を含み、
該接続は、有線接続および無線接続のうちの少なくとも一方を含み、
該共有されたキーは、
該共有されたキーが、該通信デバイスによって格納されること、
該共有されたキーが、サーバおよび／または格納場所と該通信デバイスとの間で共有され、該サーバおよび／または格納場所が、該ペアリングデバイスおよび該通信デバイスのうちの少なくとも一方に通信可能に結合されること、
該共有されたキーが、該ペアリングデバイスおよび該通信デバイスのうちの少なくとも一方に通信可能に結合されるサーバおよび／または格納場所によって生成され、該通信デバイスに送信されること、および
それらの任意の組み合わせ
のうちの少なくとも１つによって、該通信デバイスに提供される、請求項１に記載の方法。
【請求項２８】
前記システムは、前記ペアリングデバイスと通信可能なサーバおよび／または格納場所をさらに備え、
前記受信することは、前記通信デバイスと接続する前に、前記共有されたキーを使用して前記アドバタイジングパケットを受信することを含み、
前記応答することは、
該ペアリングデバイスが、該通信デバイスと接続することと、
該ペアリングデバイスと該通信デバイスとの間のデータ送信を開始することと
を含み、
該接続は、有線接続および無線接続のうちの少なくとも一方を含み、
該共有されたキーは、
該共有されたキーが、該通信デバイスによって格納されること、
該共有されたキーが、該サーバおよび／または格納場所と該通信デバイスとの間で共有され、該サーバおよび／または格納場所が、該ペアリングデバイスおよび該通信デバイスのうちの少なくとも一方に通信可能に結合されること、
該共有されたキーが、該ペアリングデバイスおよび該通信デバイスのうちの少なくとも一方に通信可能に結合される該サーバおよび／または格納場所によって生成され、該通信デバイスに送信されること、および
それらの任意の組み合わせ
のうちの少なくとも１つによって、該通信デバイスに提供される、請求項１２に記載のシステム。
【請求項２９】
前記受信することは、前記通信デバイスと接続する前に、前記共有されたキーを使用して前記アドバタイジングパケットを受信することを含み、
前記応答することは、
該ペアリングデバイスが、該通信デバイスと接続することと、
該ペアリングデバイスと該通信デバイスとの間のデータ送信を開始することと
を含み、
該接続は、有線接続および無線接続のうちの少なくとも一方を含み、
該共有されたキーは、
該共有されたキーが、該通信デバイスによって格納されること、
該共有されたキーが、サーバおよび／または格納場所と該通信デバイスとの間で共有され、該サーバおよび／または格納場所が、該ペアリングデバイスおよび該通信デバイスのうちの少なくとも一方に通信可能に結合されること、
該共有されたキーが、該ペアリングデバイスおよび該通信デバイスのうちの少なくとも一方に通信可能に結合されるサーバおよび／または格納場所によって生成され、該通信デバイスに送信されること、および
それらの任意の組み合わせ
のうちの少なくとも１つによって、該通信デバイスに提供される、請求項２３に記載のコンピュータプログラム。